(57)【要約】【課題】ジョブリストから印刷ジョブを選択するユーザーの操作性を改善できる画像形成装置を提供する。【解決手段】画像形成装置１は、給紙トレイ５１、トレイ情報取得部１４、ジョブ情報取得部１５および絞込部１６を有する。給紙トレイ５１は、用紙を収容する。トレイ情報取得部１４は、給紙トレイ５１にセットされた用紙の情報であるトレイ用紙情報を取得する。ジョブ情報取得部１５は、印刷ジョブの出力時に使用された用紙の情報であるジョブ用紙情報が関連付けられた印刷ジョブを複数含むジョブリストを記憶する記憶部から、ジョブ用紙情報を取得する。絞込部１６は、トレイ情報取得部１４によって取得されるトレイ用紙情報と、ジョブ情報取得部１５によって取得されるジョブ用紙情報とに基づいて、ジョブリストから少なくとも一つの再出力用の印刷ジョブを絞り込む。【選択図】図６
2019098726.tif 000002
【特許請求の範囲】
【請求項１】
用紙を収容する給紙トレイと、
前記給紙トレイにセットされた用紙の情報であるトレイ用紙情報を取得するトレイ情報取得部と、
印刷ジョブの出力時に使用された用紙の情報であるジョブ用紙情報が関連付けられた前記印刷ジョブを複数含むジョブリストを記憶する記憶部から、前記ジョブ用紙情報を取得するジョブ情報取得部と、
前記トレイ情報取得部によって取得される前記トレイ用紙情報と、前記ジョブ情報取得部によって取得される前記ジョブ用紙情報とに基づいて、前記ジョブリストから少なくとも一つの再出力用の前記印刷ジョブを絞り込む絞込部と、
を有する画像形成装置。
【請求項２】
前記トレイ情報取得部は、操作画面を通じてユーザーによって入力される前記トレイ用紙情報を取得する請求項１に記載の画像形成装置。
【請求項３】
前記トレイ用紙情報を検出するセンサーをさらに有し、
前記トレイ情報取得部は、前記センサーによって検出される前記トレイ用紙情報を取得する請求項１または２に記載の画像形成装置。
【請求項４】
前記トレイ情報取得部によって取得された前記トレイ用紙情報を、前記給紙トレイと関連付けて記憶するトレイ用紙情報記憶部をさらに有する請求項１〜３のいずれか一項に記載の画像形成装置。
【請求項５】
前記絞込部は、前記給紙トレイに用紙がセットされたタイミングにおいて、前記ジョブリストから前記印刷ジョブを絞り込む請求項１〜４のいずれか一項に記載の画像形成装置。
【請求項６】
前記絞込部は、操作画面を通じて、使用する用紙が収容されている前記給紙トレイがユーザーによって選択されたタイミングにおいて、前記ジョブリストから前記印刷ジョブを絞り込む請求項１〜５のいずれか一項に記載の画像形成装置。
【請求項７】
前記絞込部は、再出力する前記印刷ジョブをユーザーに選択させるための操作画面が表示されるタイミングにおいて、前記ジョブリストから前記印刷ジョブを絞り込む請求項１〜６のいずれか一項に記載の画像形成装置。
【請求項８】
前記絞込部は、前記印刷ジョブを絞り込むための条件であるジョブ絞込条件に基づいて、前記ジョブリストから前記印刷ジョブを絞り込む請求項１〜７のいずれか一項に記載の画像形成装置。
【請求項９】
前記ジョブ絞込条件は、ユーザーによって設定される請求項８に記載の画像形成装置。
【請求項１０】
前記ジョブ絞込条件は、前記印刷ジョブを絞り込むために判定すべき用紙の属性に関する条件を含み、
前記絞込部は、前記トレイ用紙情報および前記ジョブ用紙情報に含まれる前記判定すべき用紙の属性が一致するか否かに基づいて、前記ジョブリストから前記印刷ジョブを絞り込む請求項８または９に記載の画像形成装置。
【請求項１１】
前記ジョブ絞込条件は、前記印刷ジョブを絞り込むために判定すべき用紙の属性に関する条件と、判定閾値に関する条件とを含み、
前記絞込部は、前記トレイ用紙情報に含まれる前記判定すべき用紙の属性を示す数値と、前記ジョブ用紙情報に含まれる前記判定すべき用紙の属性を示す数値との差分が所定の判定閾値以下であるか否かに基づいて、前記ジョブリストから前記印刷ジョブを絞り込む請求項８または９に記載の画像形成装置。
【請求項１２】
前記絞込部によって絞り込まれた前記印刷ジョブが複数ある場合、前記印刷ジョブを並び替えるための条件であるジョブ並び替え条件に基づいて、絞り込まれた前記印刷ジョブを並び替えた操作画面を表示させる表示制御部をさらに有する請求項１〜１１のいずれか一項に記載の画像形成装置。
【請求項１３】
前記ジョブ並び替え条件は、前記トレイ用紙情報と一致度が高い前記ジョブ用紙情報が関連付けて記憶されている前記印刷ジョブを優先するように並び替える条件である請求項１２に記載の画像形成装置。
【請求項１４】
前記印刷ジョブを出力する出力部と、
前記出力部によって前記印刷ジョブが出力される度に、出力時に使用された少なくとも一つの用紙の情報である前記ジョブ用紙情報が関連付けられた前記印刷ジョブを、前記記憶部に記憶された前記ジョブリストに追加させる記憶制御部と、
をさらに有する請求項１〜１３のいずれか一項に記載の画像形成装置。
【請求項１５】
前記記憶制御部は、前記出力部によって前記印刷ジョブが再出力された場合、当該印刷ジョブの再出力時に使用された少なくとも一つの用紙の情報である前記ジョブ用紙情報を、再出力された当該印刷ジョブに関連付けて前記記憶部に記憶させる請求項１４に記載の画像形成装置。
【請求項１６】
前記絞込部は、前記ジョブリストから絞り込まれた前記印刷ジョブの中に、複数の異なる前記ジョブ用紙情報が関連付けられている前記印刷ジョブがある場合、全ての前記ジョブ用紙情報を前記トレイ用紙情報と比較する請求項１〜１５のいずれか一項に記載の画像形成装置。
【請求項１７】
用紙を収容する給紙トレイを有する画像形成装置の制御方法であって、
前記給紙トレイにセットされた用紙の情報であるトレイ用紙情報を取得するトレイ情報取得ステップと、
印刷ジョブの出力時に使用された用紙の情報であるジョブ用紙情報が関連付けられた前記印刷ジョブを複数含むジョブリストを記憶する記憶部から、前記ジョブ用紙情報を取得するジョブ情報取得ステップと、
前記トレイ情報取得ステップにおいて取得される前記トレイ用紙情報と、前記ジョブ情報取得ステップにおいて取得される前記ジョブ用紙情報とに基づいて、前記ジョブリストから少なくとも一つの再出力用の前記印刷ジョブを絞り込む絞込ステップと、
を含む制御方法。
【請求項１８】
請求項１７に記載の制御方法をコンピューターに実行させるための制御プログラム。
【発明の詳細な説明】
【技術分野】
【０００１】
本発明は、画像形成装置、画像形成装置の制御方法および制御プログラムに関する。
【背景技術】
【０００２】
過去に出力した印刷ジョブを記憶部に記憶し、後に当該印刷ジョブを再出力可能な画像形成装置が知られている。このような画像形成装置では、たとえば特許文献１に記載されているように、記憶部に記憶された全ての印刷ジョブが操作表示部に一覧表示され、ユーザーによって選択された印刷ジョブが再出力される。
【先行技術文献】
【特許文献】
【０００３】
【特許文献１】特開２０１５−１０１０１６号公報
【発明の概要】
【発明が解決しようとする課題】
【０００４】
しかし、上記の特許文献１に記載の画像形成装置では、記憶部に記憶されたジョブリストに大量の印刷ジョブが含まれる場合、操作表示部にも大量の印刷ジョブの情報が表示されてしまう。このような場合、ユーザーは、膨大な候補の中から再出力させたい印刷ジョブを探さなければならず、ユーザーの操作性が悪いという問題があった。
【０００５】
本発明は、上記事情に鑑みてなされたものであり、ジョブリストから印刷ジョブを選択するユーザーの操作性を改善する画像形成装置、画像形成装置の制御方法および制御プログラムを提供することを目的とする。
【課題を解決するための手段】
【０００６】
本発明の上記の目的は、下記の手段によって達成される。
【０００７】
（１）用紙を収容する給紙トレイと、前記給紙トレイにセットされた用紙の情報であるトレイ用紙情報を取得するトレイ情報取得部と、印刷ジョブの出力時に使用された用紙の情報であるジョブ用紙情報が関連付けられた前記印刷ジョブを複数含むジョブリストを記憶する記憶部から、前記ジョブ用紙情報を取得するジョブ情報取得部と、前記トレイ情報取得部によって取得される前記トレイ用紙情報と、前記ジョブ情報取得部によって取得される前記ジョブ用紙情報とに基づいて、前記ジョブリストから少なくとも一つの再出力用の前記印刷ジョブを絞り込む絞込部と、を有する画像形成装置。
【０００８】
（２）前記トレイ情報取得部は、操作画面を通じてユーザーによって入力される前記トレイ用紙情報を取得する上記（１）に記載の画像形成装置。
【０００９】
（３）前記トレイ用紙情報を検出するセンサーをさらに有し、前記トレイ情報取得部は、前記センサーによって検出される前記トレイ用紙情報を取得する上記（１）または（２）に記載の画像形成装置。
【００１０】
（４）前記トレイ情報取得部によって取得された前記トレイ用紙情報を、前記給紙トレイと関連付けて記憶するトレイ用紙情報記憶部をさらに有する上記（１）〜（３）のいずれか一つに記載の画像形成装置。
【００１１】
（５）前記絞込部は、前記給紙トレイに用紙がセットされたタイミングにおいて、前記ジョブリストから前記印刷ジョブを絞り込む上記（１）〜（４）のいずれか一つに記載の画像形成装置。
【００１２】
（６）前記絞込部は、操作画面を通じて、使用する用紙が収容されている前記給紙トレイがユーザーによって選択されたタイミングにおいて、前記ジョブリストから前記印刷ジョブを絞り込む上記（１）〜（５）のいずれか一つに記載の画像形成装置。
【００１３】
（７）前記絞込部は、再出力する前記印刷ジョブをユーザーに選択させるための操作画面が表示されるタイミングにおいて、前記ジョブリストから前記印刷ジョブを絞り込む上記（１）〜（６）のいずれか一つに記載の画像形成装置。
【００１４】
（８）前記絞込部は、前記印刷ジョブを絞り込むための条件であるジョブ絞込条件に基づいて、前記ジョブリストから前記印刷ジョブを絞り込む上記（１）〜（７）のいずれか一つに記載の画像形成装置。
【００１５】
（９）前記ジョブ絞込条件は、ユーザーによって設定される上記（８）に記載の画像形成装置。
【００１６】
（１０）前記ジョブ絞込条件は、前記印刷ジョブを絞り込むために判定すべき用紙の属性に関する条件を含み、前記絞込部は、前記トレイ用紙情報および前記ジョブ用紙情報に含まれる前記判定すべき用紙の属性が一致するか否かに基づいて、前記ジョブリストから前記印刷ジョブを絞り込む上記（８）または（９）に記載の画像形成装置。
【００１７】
（１１）前記ジョブ絞込条件は、前記印刷ジョブを絞り込むために判定すべき用紙の属性に関する条件と、判定閾値に関する条件とを含み、前記絞込部は、前記トレイ用紙情報に含まれる前記判定すべき用紙の属性を示す数値と、前記ジョブ用紙情報に含まれる前記判定すべき用紙の属性を示す数値との差分が所定の判定閾値以下であるか否かに基づいて、前記ジョブリストから前記印刷ジョブを絞り込む上記（８）または（９）に記載の画像形成装置。
【００１８】
（１２）前記絞込部によって絞り込まれた前記印刷ジョブが複数ある場合、前記印刷ジョブを並び替えるための条件であるジョブ並び替え条件に基づいて、絞り込まれた前記印刷ジョブを並び替えた操作画面を表示させる表示制御部をさらに有する上記（１）〜（１１）のいずれか一つに記載の画像形成装置。
【００１９】
（１３）前記ジョブ並び替え条件は、前記トレイ用紙情報と一致度が高い前記ジョブ用紙情報が関連付けて記憶されている前記印刷ジョブを優先するように並び替える条件である上記（１２）に記載の画像形成装置。
【００２０】
（１４）前記印刷ジョブを出力する出力部と、前記出力部によって前記印刷ジョブが出力される度に、出力時に使用された少なくとも一つの用紙の情報である前記ジョブ用紙情報が関連付けられた前記印刷ジョブを、前記記憶部に記憶された前記ジョブリストに追加させる記憶制御部と、をさらに有する上記（１）〜（１３）のいずれか一つに記載の画像形成装置。
【００２１】
（１５）前記記憶制御部は、前記出力部によって前記印刷ジョブが再出力された場合、当該印刷ジョブの再出力時に使用された少なくとも一つの用紙の情報である前記ジョブ用紙情報を、再出力された当該印刷ジョブに関連付けて前記記憶部に記憶させる上記（１４）に記載の画像形成装置。
【００２２】
（１６）前記絞込部は、前記ジョブリストから絞り込まれた前記印刷ジョブの中に、複数の異なる前記ジョブ用紙情報が関連付けられている前記印刷ジョブがある場合、全ての前記ジョブ用紙情報を前記トレイ用紙情報と比較する上記（１）〜（１５）のいずれか一つに記載の画像形成装置。
【００２３】
（１７）用紙を収容する給紙トレイを有する画像形成装置の制御方法であって、前記給紙トレイにセットされた用紙の情報であるトレイ用紙情報を取得するトレイ情報取得ステップと、印刷ジョブの出力時に使用された用紙の情報であるジョブ用紙情報が関連付けられた前記印刷ジョブを複数含むジョブリストを記憶する記憶部から、前記ジョブ用紙情報を取得するジョブ情報取得ステップと、前記トレイ情報取得ステップにおいて取得される前記トレイ用紙情報と、前記ジョブ情報取得ステップにおいて取得される前記ジョブ用紙情報とに基づいて、前記ジョブリストから少なくとも一つの再出力用の前記印刷ジョブを絞り込む絞込ステップと、を含む制御方法。
【００２４】
（１８）上記（１７）に記載の制御方法をコンピューターに実行させるための制御プログラム。
【発明の効果】
【００２５】
本発明によれば、画像形成装置は、給紙トレイにセットされた用紙の情報であるトレイ用紙情報と、印刷ジョブの出力時に使用された用紙の情報であるジョブ用紙情報とに基づいて、ジョブリストから少なくとも一つの印刷ジョブを絞り込む。したがって、画像形成装置は、記憶部に大量の印刷ジョブが記憶されている場合でも、給紙トレイに収容されている用紙を使用して再出力可能な印刷ジョブのみを、ジョブリストから絞り込むことができる。これにより、画像形成装置は、ジョブリストから印刷ジョブを選択するユーザーの操作性を改善できる。
【図面の簡単な説明】
【００２６】
【図１】第１実施形態に係る画像形成装置の概略構成を示す図である。
【図２】制御部の機能構成を示すブロック図である。
【図３】給紙トレイとトレイ用紙情報との関係を説明するための図である。
【図４】トレイ用紙情報を入力する操作画面の一例を示す図である。
【図５】印刷ジョブとジョブ用紙情報との関係を説明するための図である。
【図６】画像形成装置１の処理の手順を示すフローチャートである。
【図７】図６のステップＳ１０５のジョブ絞込処理の手順を示すサブルーチンフローチャートである。
【図８】ジョブ絞込条件を設定する操作画面の一例を示す図である。
【図９】絞込結果テーブルの一例を示す図である。
【図１０】図６のステップＳ１０６のジョブ表示処理の手順を示すサブルーチンフローチャートである。
【図１１】ジョブ絞込結果を表示する操作画面の一例を示す図である。
【図１２】第２実施形態に係る画像形成装置の概略構成を示す図である。
【図１３】ジョブ絞込条件を設定する操作画面の他の例を示す図である。
【図１４】絞込結果テーブルの他の例を示す図である。
【図１５】ジョブ絞込結果を表示する操作画面の他の例を示す図である。
【図１６】印刷ジョブと複数のジョブ用紙情報との関係を説明するための図である。
【図１７】第３実施形態に係る画像形成装置１の処理の手順を示すフローチャートである。
【図１８】ジョブ絞込結果を表示する操作画面のさらに別の例を示す図である。
【発明を実施するための形態】
【００２７】
以下、添付した図面を参照して、本発明の実施形態を説明する。なお、図面の説明において、同一の要素には同一の符号を付し、重複する説明を省略する。また、図面の寸法比率は、説明の都合上誇張され、実際の比率とは異なる場合がある。
【００２８】
（第１実施形態）
まず、第１実施形態に係る画像形成装置の構成について説明する。
【００２９】
図１は、第１実施形態に係る画像形成装置の概略構成を示す図である。
【００３０】
図１に示すように、画像形成装置１は、制御部１０、記憶部２０、通信部３０、操作表示部４０、給紙部５０、搬送部６０、画像形成部７０および定着部８０を備える。
【００３１】
制御部１０は、ＣＰＵ（Ｃｅｎｔｒａｌ  Ｐｒｏｃｅｓｓｉｎｇ  Ｕｎｉｔ）であり、プログラムに従い、上記各部の制御や各種の演算処理を実行する。制御部１０の機能構成については、後述する。
【００３２】
記憶部２０は、予め各種プログラムや各種データを記憶するＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを記憶するハードディスク等から構成される。
【００３３】
本実施形態では、記憶部２０に、過去に出力された印刷ジョブを複数含むジョブリストが記憶されている。しかしながら、このジョブリストを記憶する記憶部は、画像形成装置１がローカルに備える記憶部２０に限定されない。例えば、記憶部として、ネットワーク接続された任意のサーバーや他の画像形成装置等の機器に備えられた外部の記憶部が用いられてもよい。なお、以下では、記憶部２０および外部の記憶部を、まとめて「記憶部２０等」または単に「記憶部」と呼ぶ。また、各印刷ジョブには、印刷ジョブの出力時に使用された用紙の情報（以下「ジョブ用紙情報」とも呼ぶ）が関連付けられている。印刷ジョブは、画像形成装置１によって出力される度に、ジョブ用紙情報を関連付けられ、ジョブリストに追加される。
【００３４】
通信部３０は、ＬＡＮ（Ｌｏｃａｌ  Ａｒｅａ  Ｎｅｔｗｏｒｋ）等のネットワークを介して、ユーザーのＰＣ（Ｐｅｒｓｏｎａｌ  Ｃｏｍｐｕｔｅｒ）等の他の機器と通信するためのインターフェースである。通信部３０は、たとえば、ユーザーのＰＣから印刷ジョブを受信したり、ユーザーのＰＣに表示させる操作画面の情報を送信したりする。
【００３５】
操作表示部４０は、タッチパネル、テンキー、スタートボタン、ストップボタン等を備え、操作画面に各種情報を表示したり、各種操作を受け付けたりする。
【００３６】
給紙部５０は、印刷に使用される用紙を収容する複数の給紙トレイ５１と、給紙トレイ５１に収容された用紙を一枚ずつ分離して給紙する複数の給紙ローラー５２とを備える。
【００３７】
搬送部６０は、搬送路、搬送路に沿って配置された複数の搬送ローラー対、および、搬送ローラー対を駆動する駆動モーター（図示せず）を備え、給紙部５０から給紙された用紙を、画像形成部７０および定着部８０に搬送する。
【００３８】
画像形成部７０は、帯電、露光、現像、転写等の各工程を含む電子写真方式等の周知の作像プロセスを用いて、印刷ジョブに含まれる画像データに基づいて、用紙上に画像を形成する。
【００３９】
定着部８０は、加圧ローラーおよび加熱ローラーを備え、画像形成部７０によって画像が形成された用紙を加圧および加熱することによって、画像を熱定着させる。
【００４０】
なお、画像形成装置１は、上記の構成要素以外の構成要素を含んでもよく、あるいは、上記の構成要素のうちの一部を含まなくてもよい。
【００４１】
次に、制御部１０の機能構成について説明する。
【００４２】
図２は、制御部の機能構成を示すブロック図である。
【００４３】
図２に示すように、制御部１０は、プログラムを読み込んで処理を実行することによって、表示制御部１１、操作受付部１２、記憶制御部１３、トレイ情報取得部１４、ジョブ情報取得部１５、絞込部１６および出力制御部１７として機能する。
【００４４】
表示制御部１１は、操作表示部４０または他装置（たとえば、画像形成装置１に接続されたＰＣ等）の表示部（以下、まとめて「操作表示部４０等」と呼ぶ）に所定の操作画面を表示させる。
【００４５】
操作受付部１２は、操作表示部４０または他装置（たとえば、画像形成装置１に接続されたＰＣ等）の操作部（以下、まとめて「操作表示部４０等」と呼ぶ）におけるユーザーの操作入力を受け付ける。
【００４６】
記憶制御部１３は、記憶部２０等に各種情報を記憶させたり、記憶部２０等から各種情報を読み出したりする。記憶制御部１３は、たとえば、ジョブ用紙情報が関連付けられた印刷ジョブを、記憶部２０等に記憶させる。
【００４７】
トレイ情報取得部１４は、給紙トレイ５１に関する情報を取得する。トレイ情報取得部１４は、たとえば、給紙トレイ５１に用紙がセットされた旨の情報を取得したり、給紙トレイ５１にセットされた用紙の情報（以下「トレイ用紙情報」とも呼ぶ）を取得したりする。トレイ情報取得部１４によって取得されたトレイ用紙情報は、各給紙トレイ５１と関連付けられ、トレイ情報記憶部として機能する記憶部２０に記憶される。トレイ用紙情報の詳細については後述する。
【００４８】
ジョブ情報取得部１５は、印刷ジョブに関する情報を取得する。ジョブ情報取得部１５は、たとえば、過去に出力され、記憶部２０等に記憶された印刷ジョブに関する情報を、記憶部２０等から取得する。ジョブ用紙情報の詳細については後述する。
【００４９】
絞込部１６は、トレイ情報取得部１４によって取得されるトレイ用紙情報と、ジョブ情報取得部１５によって取得されるジョブ用紙情報とに基づいて、記憶部２０等に記憶されたジョブリストから少なくとも一つの印刷ジョブを絞り込む。
【００５０】
出力制御部１７は、給紙部５０、搬送部６０、画像形成部７０および定着部８０等（以下、まとめて「出力部」とも呼ぶ）に印刷ジョブを出力させる。
【００５１】
続いて、トレイ用紙情報およびジョブ用紙情報の詳細について説明する。
【００５２】
図３は、給紙トレイとトレイ用紙情報との関係を説明するための図である。図４は、トレイ用紙情報を入力する操作画面の一例を示す図である。
【００５３】
図３に示すように、各トレイ用紙情報は、各給紙トレイ５１に関連付けて記憶される。各トレイ用紙情報には、たとえば、用紙のサイズ、種類、坪量等の、用紙の複数の属性に関する情報が含まれる。用紙の種類には、たとえば、普通紙、上質紙および塗工紙、ならびにこれらの色紙等が含まれるが、これらに限定されない。
【００５４】
画像形成装置１は、給紙トレイ５１に用紙がセットされる前、またはセットされた後に、図４に例示するようなトレイ用紙情報をユーザーに入力させるための操作画面を表示する。そして、画像形成装置１は、当該操作画面を通じてユーザーによって入力されるトレイ用紙情報を受け付ける。トレイ用紙情報は、たとえば、「ＯＫ」のソフトキーが押下されることによって確定され、「キャンセル」キーが押下されることによって直前の状態に戻される。また、一度入力されたトレイ用紙情報は、「設定登録」キーが押下されることによって記憶部２０に記憶されてもよく、後に「設定呼出」キーが押下されることによって記憶部２０から読み出され、再入力されてもよい。
【００５５】
また、画像形成装置１は、自動的に検出可能なトレイ用紙情報がある場合、当該トレイ用紙情報をユーザーに入力させなくてもよい。たとえば、画像形成装置１は、用紙のサイズが自動的に検出可能な定型サイズである場合、用紙のサイズをユーザーに入力させなくてもよく、用紙のサイズが不定形サイズである場合のみ、用紙のサイズをユーザーに入力させてもよい。また、画像形成装置１は、自動的に検出したトレイ用紙情報を表示し、必要に応じてユーザーに修正させてもよい。
【００５６】
図５は、印刷ジョブとジョブ用紙情報との関係を説明するための図である。
【００５７】
図５に示すように、各ジョブ用紙情報は、過去に出力された各印刷ジョブに関連付けて記憶される。過去に出力された印刷ジョブに使用された用紙を給紙した、給紙トレイ５１に関連付けられたトレイ用紙情報が、ジョブ用紙情報として記憶される。そのため、各ジョブ用紙情報には、たとえば、用紙のサイズ、種類、坪量等の、トレイ用紙情報と対応する用紙の複数の属性に関する情報が含まれる。
【００５８】
続いて、本実施形態に係る画像形成装置１の印刷ジョブの再出力時の処理の手順を説明する。画像形成装置１の処理は、記憶部２０等に記憶されたジョブリストから印刷ジョブを選択するユーザーの操作性を改善するように制御するものである。
【００５９】
図６は、画像形成装置１の処理の手順を示すフローチャートである。図６のフローチャートに示すアルゴリズムは、画像形成装置１の記憶部２０にプログラムとして記憶されており、制御部１０によって実行される。
【００６０】
図６に示すように、まず、制御部１０は、印刷ジョブを絞り込むための機能であるジョブ絞込機能が有効であるか否かを判断する（ステップＳ１０１）。制御部１０は、ステップＳ１０１よりも前に、表示制御部１１として、ジョブ絞込機能の有効または無効をユーザーに設定させるための操作画面を、操作表示部４０等に表示させ、操作受付部１２として、当該操作画面におけるユーザーの設定を予め受け付けておく。また、ジョブ絞込機能の有効または無効の初期設定が、記憶部２０に記憶されていてもよく、制御部１０は、記憶制御部１３として、当該初期設定を読み出してもよい。
【００６１】
ジョブ絞込機能が有効でない場合（ステップＳ１０１：ＮＯ）、すなわち、無効である場合、制御部１０は処理を終了する。
【００６２】
ジョブ絞込機能が有効である場合（ステップＳ１０１：ＹＥＳ）、制御部１０は、給紙トレイ５１に用紙がセットされたか、すなわち、用紙が補充された給紙トレイ５１が画像形成装置１の本体に装填（挿入）されたか否かを判断する（ステップＳ１０２）。
【００６３】
給紙トレイ５１に用紙がセットされていない場合（ステップＳ１０２：ＮＯ）、制御部１０は、給紙トレイ５１に用紙がセットされるまで待機する。
【００６４】
給紙トレイ５１に用紙がセットされた場合（ステップＳ１０２：ＹＥＳ）、制御部１０は、トレイ情報取得部１４として、トレイ用紙情報を取得する（ステップＳ１０３）。より具体的には、制御部１０は、表示制御部１１として、図４に例示するようなトレイ用紙情報を入力する操作画面を操作表示部４０等に表示させ、操作受付部１２として、当該操作画面におけるユーザーのトレイ用紙情報の入力を受け付ける。そして、制御部１０は、記憶制御部１３として、受け付けたトレイ用紙情報を記憶部２０に記憶させると共に、トレイ情報取得部１４として、当該情報を取得する。なお、制御部１０は、給紙トレイ５１に用紙がセットされた後に当該操作画面を表示させる場合、ユーザーの入力が完了し、トレイ用紙情報を取得できる状態になるまで待機する。
【００６５】
続いて、制御部１０は、ジョブ情報取得部１５として、過去に出力された印刷ジョブに関連付けられたジョブ用紙情報を、記憶部２０等から取得する（ステップＳ１０４）。そして、制御部１０は、ステップＳ１０５のジョブ絞込処理に進む。ジョブ絞込処理は、ステップＳ１０３において取得されたトレイ用紙情報と、ステップＳ１０４において取得されたジョブ用紙情報とに基づいて、記憶部２０等に記憶されたジョブリストから少なくとも一つの印刷ジョブを絞り込むための処理である。ステップＳ１０５の詳細については後述する。
【００６６】
続いて、制御部１０は、ステップＳ１０６のジョブ表示処理に進む。ジョブ表示処理は、ステップＳ１０５においてジョブリストから絞り込まれた印刷ジョブをユーザーに表示するための処理である。ステップＳ１０６の詳細については後述する。
【００６７】
続いて、制御部１０は、ステップＳ１０６において印刷ジョブの出力指示があったか否かを判断する（ステップＳ１０７）。
【００６８】
出力指示がなかった場合（ステップＳ１０７：ＮＯ）、制御部１０は処理を終了する。
【００６９】
出力指示があった場合（ステップＳ１０７：ＹＥＳ）、制御部１０は、出力制御部１７として、選択された印刷ジョブを出力（再出力）させる（ステップＳ１０８）。
【００７０】
最後に、制御部１０は、記憶制御部１３として、印刷ジョブの再出力時に使用された用紙の情報である新たなジョブ用紙情報を、再出力された印刷ジョブに関連付けて記憶部２０等に記憶させ（ステップＳ１０９）、処理を終了する。画像形成装置１は、トレイ用紙情報と完全には一致しないジョブ用紙情報が関連付けられている印刷ジョブも再出力しうるため、再出力時のジョブ用紙情報が、再出力前のジョブ用紙情報と異なる場合がある。制御部１０は、再出力時のジョブ用紙情報を、再出力前のジョブ用紙情報に代えて（たとえば、上書き等して）記憶させてもよいし、元のジョブ用紙情報と共に記憶させてもよい。
【００７１】
続いて、ステップＳ１０５のジョブ絞込処理の詳細について説明する。
【００７２】
図７は、図６のステップＳ１０５のジョブ絞込処理の手順を示すサブルーチンフローチャートである。図８は、ジョブ絞込条件を設定する操作画面の一例を示す図である。図９は、絞込結果テーブルの一例を示す図である。図７のジョブ絞込処理は、記憶部２０等に記憶されているジョブリストに含まれる全ての印刷ジョブについて、同時にまたは順次実行される。
【００７３】
図７に示すように、まず、制御部１０は、ジョブ絞込条件に基づいて、用紙のサイズの判定が有効であるか否かを判断する（ステップＳ２０１）。「ジョブ絞込条件」は、印刷ジョブを絞り込むために判定すべき用紙の属性を示す条件である。
【００７４】
制御部１０は、ステップＳ２０１よりも前に、表示制御部１１として、図８に例示するようなジョブ絞込条件をユーザーに設定させるための操作画面を、操作表示部４０等に表示させる。そして、制御部１０は、操作受付部１２として、当該操作画面におけるユーザーの設定を予め受け付けておく。制御部１０は、たとえば、当該操作画面において、用紙の各属性の「判定有無」の欄がユーザーによって選択された場合、判定の有無を切り替えるためのソフトキーをＡの部分に表示させる。そして、「有効」または「無効」の設定は、たとえば、「有効」または「無効」のキーが選択された状態で「ＯＫ」キーが押下されることによって確定され、「キャンセル」キーが押下されることによって直前の状態に戻される。なお、ジョブ絞込条件の初期設定は、記憶部２０等に記憶されていてもよい。
【００７５】
図７に戻って、用紙のサイズの判定が有効である場合（ステップＳ２０１：ＹＥＳ）、制御部１０は、絞込部１６として、トレイ用紙情報に含まれる用紙のサイズと、ジョブ用紙情報に含まれる用紙のサイズとが一致するか否かを判定する（ステップＳ２０２）。
【００７６】
用紙のサイズが一致する場合（ステップＳ２０２：ＹＥＳ）、制御部１０は、記憶制御部１３として、用紙のサイズが一致する旨を記憶部２０に記憶させる（ステップＳ２０３）。そして、制御部１０はステップＳ２０４の処理に進む。
【００７７】
用紙のサイズの判定が無効である場合（ステップＳ２０１：ＮＯ）、あるいは、用紙のサイズが一致しない場合（ステップＳ２０２：ＮＯ）、制御部１０は、そのままステップＳ２０４の処理に進む。
【００７８】
続いて、制御部１０は、用紙の種類についてステップＳ２０４〜Ｓ２０６を、坪量についてステップＳ２０７〜Ｓ２０９をそれぞれ実行する。ステップＳ２０４〜Ｓ２０６およびステップＳ２０７〜Ｓ２０９の手順は、ステップＳ２０１〜Ｓ２０３の手順とそれぞれ略同様であるため、説明を省略する。
【００７９】
最後に、制御部１０は、記憶制御部１３として、トレイ用紙情報に含まれる用紙の属性と少なくとも一部が一致する用紙の属性を含むジョブ用紙情報が関連付けられている印刷ジョブの名称を記憶部２０に記憶させる（ステップＳ２１０）。すなわち、制御部１０は、図９に例示するような絞込結果テーブルＴ１に、ジョブリストに含まれる印刷ジョブのうち、ジョブ絞込条件に基づいて絞り込まれた印刷ジョブの名称（識別子）を記憶させる。また、制御部１０は、ステップＳ２０３、Ｓ２０６およびＳ２０９において記憶部２０に記憶された結果を絞込結果テーブルＴ１に反映させる。なお、絞込結果テーブルＴ１において、「ＯＫ」はトレイ用紙情報およびジョブ用紙情報に含まれる用紙の属性が一致すること、「ＮＧ」は一致しないことを示し、「−」は用紙の属性の判定が無効であったことを示す。
【００８０】
なお、制御部１０は、少なくともトレイ用紙情報およびジョブ用紙情報に含まれる用紙のサイズが一致する場合のみ、絞込結果テーブルＴ１に印刷ジョブの名称を記憶してもよい。給紙トレイ５１にセットされた用紙のサイズと一致しない用紙のサイズが関連付けられた印刷ジョブを、ユーザーが再出力する可能性は非常に低いためである。
【００８１】
続いて、ステップＳ１０６のジョブ表示処理の詳細について説明する。
【００８２】
図１０は、図６のステップＳ１０６のジョブ表示処理の手順を示すサブルーチンフローチャートである。図１１は、ジョブ絞込結果を表示する操作画面の一例を示す図である。
【００８３】
図１０に示すように、まず、制御部１０は、表示制御部１１として、ステップＳ１０３において取得され、ステップＳ１０５のジョブ絞込処理において比較対象とされたトレイ用紙情報を、操作表示部４０等に表示させる（ステップＳ３０１）。そして、制御部１０は、記憶制御部１３として、ステップＳ２１０において印刷ジョブの名称等を記憶させた絞込結果テーブルＴ１を取得する（ステップＳ３０２）。さらに、制御部１０は、表示制御部１１として、ジョブ並び替え条件に基づいて印刷ジョブを並び替えた操作画面を、操作表示部４０等に表示させる（ステップＳ３０３）。「ジョブ並び替え条件」は、たとえば、トレイ用紙情報と一致度が高いジョブ用紙情報が関連付けて記憶されている印刷ジョブを優先するように並び替える条件である。また、「ジョブ並び替え条件」は、出力日時等の別の条件によって並び替える条件であってもよい。
【００８４】
制御部１０は、図１１に例示するようなジョブ絞込結果をユーザーに表示するための操作画面を、操作表示部４０等に表示させる。図１１の操作画面では、ステップＳ１０３において取得されたトレイ用紙情報と、絞り込まれた印刷ジョブの情報とが表示されており、印刷ジョブの順序は、図９の絞込結果テーブルＴ１と比較して並び替えられている。これは、制御部１０が、トレイ用紙情報と一致度が高いジョブ用紙情報が関連付けて記憶されている印刷ジョブを優先するように、印刷ジョブを並び替えた結果である。なお、ジョブ４およびジョブ１２のように、トレイ用紙情報と一致度が同等のジョブ用紙情報が関連付けられている印刷ジョブが複数ある場合、画像形成装置１は、当該印刷ジョブを出力日時順にさらに並び替えてもよい。
【００８５】
図１０に戻って、制御部１０は、現在の処理のキャンセル指示があったか否かを判断する（ステップＳ３０４）。制御部１０は、たとえば、操作受付部１２として、図１１のような操作画面において、現在の処理を終了するための「キャンセル」のソフトキーが押下されたか否かを判断する。
【００８６】
キャンセル指示があった場合（ステップＳ３０４：ＹＥＳ）、制御部１０は、図６の処理に戻る。
【００８７】
キャンセル指示がなかった場合（ステップＳ３０４：ＮＯ）、制御部１０は、少なくとも一つの印刷ジョブが選択されたか否かを判断する（ステップＳ３０５）。制御部１０は、たとえば、操作受付部１２として、図１１のような操作画面において、各印刷ジョブの「ジョブ名称」の欄が選択されたか否かを判断する。
【００８８】
印刷ジョブが選択されなかった場合（ステップＳ３０５：ＮＯ）、制御部１０は、キャンセル指示があるか、印刷ジョブが選択されるまで、ステップＳ３０４およびＳ３０５の処理を繰り返す。
【００８９】
印刷ジョブが選択された場合（ステップＳ３０５：ＹＥＳ）、制御部１０は、印刷ジョブの出力指示があったか否かを判断する（ステップＳ３０６）。制御部１０は、たとえば、操作受付部１２として、図１１のような操作画面において、選択された印刷ジョブを出力するための「出力」のソフトキーが押下されたか否かを判断する。
【００９０】
出力指示があった場合（ステップＳ３０６：ＹＥＳ）、制御部１０は、図６の処理に戻る。
【００９１】
出力指示がなかった場合（ステップＳ３０６：ＮＯ）、制御部１０は、キャンセル指示があるか、印刷ジョブの出力指示があるまで、ステップＳ３０４〜Ｓ３０６の処理を繰り返す。
【００９２】
なお、キャンセル指示または出力指示がないまま所定のタイムアウト時間が経過した場合、制御部１０は、キャンセル指示があったものと判断し、図６の処理に戻ってもよい。
【００９３】
以上のように、画像形成装置１は、給紙トレイ５１にセットされた用紙の情報であるトレイ用紙情報と、印刷ジョブの出力時に使用された用紙の情報であるジョブ用紙情報とに基づいて、ジョブリストから少なくとも一つの印刷ジョブを絞り込む。したがって、画像形成装置１は、記憶部２０等に大量の印刷ジョブが記憶されている場合でも、給紙トレイ５１に収容されている用紙を使用して再出力可能な印刷ジョブのみを、ジョブリストから絞り込むことができる。これにより、画像形成装置１は、ジョブリストから印刷ジョブを選択するユーザーの操作性を改善できる。
【００９４】
また、画像形成装置１は、操作画面を通じてユーザーによって入力されるトレイ用紙情報を取得する。これにより、画像形成装置１は、特別な構成を必要とせずにトレイ用紙情報を取得できる。
【００９５】
また、画像形成装置１は、給紙トレイ５１に用紙がセットされたタイミングにおいて、ジョブリストから印刷ジョブを絞り込む。これにより、画像形成装置１は、ユーザーの特別な操作を待たずに自動的にジョブ絞込処理を実行でき、ジョブリストから印刷ジョブを選択するユーザーの操作性をさらに改善できる。
【００９６】
また、画像形成装置１は、ジョブ絞込条件に基づいて、ジョブリストから印刷ジョブを絞り込む。これにより、画像形成装置１は、ジョブ絞込条件に基づいて効率的にジョブ絞込処理を実行できる。
【００９７】
また、ジョブ絞込条件は、ユーザーによって設定される。これにより、画像形成装置１は、ユーザーの要望に基づいて効率的にジョブ絞込処理を実行できる。
【００９８】
また、画像形成装置１は、トレイ用紙情報およびジョブ用紙情報に含まれる判定すべき用紙の属性が一致するか否かに基づいて、ジョブリストから印刷ジョブを絞り込む。したがって、画像形成装置１は、トレイ用紙情報と少なくとも一部が一致するジョブ用紙情報が関連付けられた印刷ジョブのみを、ジョブリストから絞り込むことができる。
【００９９】
また、画像形成装置１は、絞り込まれた印刷ジョブが複数ある場合、ジョブ並び替え条件に基づいて印刷ジョブを並び替える。これにより、画像形成装置１は、印刷ジョブをユーザーに好ましい順序で並び替えて表示でき、ジョブリストから印刷ジョブを選択するユーザーの操作性をさらに改善できる。
【０１００】
また、ジョブ並び替え条件は、トレイ用紙情報と一致度が高いジョブ用紙情報に関連付けて記憶されている印刷ジョブを優先するように並び替える条件である。これにより、画像形成装置１は、ユーザーが再出力する可能性が高い印刷ジョブを優先的に表示できる。また、画像形成装置１は、トレイ用紙情報と完全には一致せず、部分的に一致するジョブ用紙情報が関連付けて記憶されている印刷ジョブも、優先度を下げつつ表示できる。
【０１０１】
また、画像形成装置１は、印刷ジョブを出力する度に、ジョブ用紙情報が関連付けられた当該印刷ジョブをジョブリストに追加させる。これにより、画像形成装置１は、出力したことがある全ての印刷ジョブを、再出力の対象にすることができる。また、画像形成装置１は、自装置の記憶部２０だけでなく、サーバー等の他装置の記憶部にも印刷ジョブを記憶させることができるため、他の画像形成装置との間でジョブ用紙情報を共有でき、複数の画像形成装置を使用するユーザーの操作性も改善できる。
【０１０２】
また、画像形成装置１は、印刷ジョブを再出力した場合、再出力時のジョブ用紙情報を、再出力した印刷ジョブに関連付けて記憶させる。これにより、画像形成装置１は、以降は再出力時のジョブ用紙情報に基づいて、絞込処理を実行できる。
【０１０３】
なお、上記実施形態では、画像形成装置１の処理の一例を説明した。しかし、本実施形態はこれに限定されない。以下のような種々の変更や改良等が可能である。
【０１０４】
画像形成装置１は、図６のステップＳ１０２において、給紙トレイ５１に用紙がセットされたタイミングにおいて、ジョブリストから印刷ジョブを絞り込むと説明した。しかし、本実施形態はこれに限定されない。画像形成装置１は、別のタイミングにおいて、ジョブ絞込処理を実行してもよい。
【０１０５】
上述したように、画像形成装置１は、取得したトレイ用紙情報を、給紙トレイ５１に関連付けて記憶している。このため、画像形成装置１は、給紙トレイ５１に用紙がセットされたタイミングとは別のタイミングにおいてジョブ絞込処理を実行する場合でも、トレイ用紙情報をユーザーに再入力させずに済む。
【０１０６】
画像形成装置１は、たとえば、操作表示部４０等に表示された操作画面で給紙トレイ５１が選択されたタイミングにおいて、ジョブリストから印刷ジョブを絞り込んでもよい。画像形成装置１は、たとえば、使用する用紙が収容されている給紙トレイ５１をユーザーに選択させるための操作画面を、操作表示部４０等に表示させる。そして、画像形成装置１は、ステップＳ１０２の代わりに、当該操作画面を通じて給紙トレイ５１がユーザーによって選択されたか否かを判断し、選択された場合、ステップＳ１０３〜Ｓ１０９の処理を実行する。これにより、画像形成装置１は、給紙トレイ５１を選択する操作画面において異なる給紙トレイ５１が選択される度に、当該給紙トレイ５１に収容されている用紙を使用して再出力可能な印刷ジョブをユーザーに提示でき、ユーザーの操作性をさらに改善できる。
【０１０７】
あるいは、画像形成装置１は、再出力する印刷ジョブをユーザーに選択させるための操作画面が表示されるタイミングにおいて、ジョブリストから印刷ジョブを絞り込んでもよい。当該操作画面は、たとえば、図４等の操作画面において、「ジョブリスト」のタブが選択された場合に表示される操作画面であってもよい。画像形成装置１は、「ジョブリスト」のタブが選択されたか否かを判断し、選択された場合、ステップＳ１０３〜Ｓ１０９の処理を実行する。なお、画像形成装置１は、印刷ジョブを選択する操作画面を表示させる前、または表示させた後に、ジョブ絞込処理の対象とする給紙トレイ５１をユーザーに選択させるための操作画面をさらに表示してもよい。このように、画像形成装置１は、様々なタイミングにおいてジョブ絞込処理を実行できる。
【０１０８】
また、画像形成装置１は、図７のステップＳ２０５において、トレイ用紙情報およびジョブ用紙情報に含まれる用紙の種類が一致するか否かを判定する。ここで、画像形成装置１は、トレイ用紙情報およびジョブ用紙情報に含まれる用紙の種類が完全に一致せず、部分的に一致する場合でも、用紙の種類が一致したと判定してもよい。
【０１０９】
上述したように、用紙の種類には、たとえば、普通紙、上質紙および塗工紙、ならびにこれらの色紙等が含まれる。したがって、たとえば、トレイ用紙情報に含まれる用紙の種類が「白色の普通紙」であり、ジョブ用紙情報に含まれる用紙の種類が「白色の上質紙」である場合等、用紙の色については一致するが、用紙の素材については一致しない場合が存在する。この場合、画像形成装置１は、ステップＳ２０５において、できるだけ広めに印刷ジョブを絞り込むため、用紙の種類が一致したと判定してもよいし、できるだけ正確に印刷ジョブを絞り込むため、用紙の種類が一致しなかったと判定してもよい。あるいは、画像形成装置１は、ジョブ絞込処理において、用紙の色および素材を用紙の種類という一つの属性としてまとめて判定するのではなく、用紙の色および素材を用紙の異なる属性として別々に判定してもよい。
【０１１０】
また、画像形成装置１は、図７のステップＳ２０８において、トレイ用紙情報およびジョブ用紙情報に含まれる用紙の坪量が一致するか否かを判定する。しかし、本実施形態はこれに限定されない。画像形成装置１は、トレイ用紙情報およびジョブ用紙情報に含まれる用紙の坪量が完全に一致しない場合でも、坪量の差分が所定の判定閾値以下であれば、用紙の坪量が一致したと判定してもよい。なお、所定の判定閾値は、図８のような操作画面において、ユーザーによって設定可能であってもよい。
【０１１１】
（第２実施形態）
第１実施形態では、画像形成装置１が、ユーザーによって入力されるトレイ用紙情報を取得すると説明した。第２実施形態では、画像形成装置１は、別の方法によってトレイ用紙情報を取得する。
【０１１２】
図１２は、第２実施形態に係る画像形成装置の概略構成を示す図である。
【０１１３】
図１２に示すように、第２実施形態に係る画像形成装置１は、センサー部５３を除いて、第１実施形態に係る画像形成装置１と略同様の構成を備える。
【０１１４】
センサー部５３は、たとえば、給紙トレイ５１の上部に設けられ、給紙トレイ５１にセットされた用紙の情報（トレイ用紙情報）を検出する。第２実施形態に係るトレイ用紙情報には、第１実施形態に係るトレイ用紙情報とは異なる情報が含まれてもよい。たとえば、第２実施形態に係るトレイ用紙情報には、用紙のサイズ、厚さ、表面平滑度、光沢度等の、用紙の複数の属性に関する情報が含まれてもよい。
【０１１５】
センサー部５３は、複数の種類のセンサーから構成されてもよい。センサー部５３は、たとえば、用紙のサイズ、厚さ、表面平滑度、光沢度等をそれぞれ検出する複数の種類の専用のセンサーから構成されてもよい。あるいは、センサー部５３は、たとえば、用紙の表面平滑度および光沢度の両方を測定可能な光学式センサー等を含んでもよい。なお、画像形成装置１は、用紙のサイズが自動的に検出可能な定型サイズである場合、用紙のサイズをセンサー部５３に検知させなくてもよい。
【０１１６】
また、給紙ローラー５２は、センサー部５３が用紙の厚さを検出する前に、給紙トレイ５１に収容された最上面の用紙の位置を移動させてもよく、センサー部５３が当該用紙の厚さを検出した後、当該用紙の位置を元に戻してもよい。あるいは、センサー部５３のうち用紙の厚さを検出するセンサーは、搬送部６０の搬送路上に設けられてもよく、搬送部６０によって搬送される用紙の厚さを検出してもよい。
【０１１７】
続いて、第２実施形態に係る画像形成装置１の処理の手順を説明する。なお、以下では、第１実施形態に係る画像形成装置１の処理と異なる処理についてのみ説明する。
【０１１８】
第２実施形態では、画像形成装置１は、図６のステップＳ１０３において、ユーザーによって入力されるトレイ用紙情報の代わりに、センサー部５３によって検出されるトレイ用紙情報を取得する。また、画像形成装置１は、図７のステップＳ２０１よりも前に、第１実施形態とは異なる操作画面を、操作表示部４０等に表示させる。
【０１１９】
図１３は、ジョブ絞込条件を設定する操作画面の他の例を示す図である。
【０１２０】
画像形成装置１は、たとえば、図１３に例示するようなジョブ絞込条件をユーザーに設定させるための操作画面において、ユーザーによる「判定有無」の選択だけでなく、「判定閾値」の入力を受け付けてもよい。画像形成装置１は、たとえば、用紙の各属性の判定閾値が入力された場合、Ｂの部分にソフトキーを表示させる。そして、判定閾値は、たとえば、「ＯＫ」キーが押下されることによって確定され、「キャンセル」キーが押下されることによって直前の状態に戻される。すなわち、第２実施形態の「ジョブ絞込条件」は、印刷ジョブを絞り込むために判定すべき用紙の属性を示す条件と、判定閾値に関する条件であると言える。なお、判定閾値の初期値が、記憶部２０等に記憶されていてもよい。
【０１２１】
また、画像形成装置１は、図７のジョブ絞込処理において、第１実施形態に係るトレイ用紙情報（用紙のサイズ、種類、坪量等）の代わりに、第２実施形態に係るトレイ用紙情報（用紙のサイズ、厚さ、表面平滑度、光沢度等）について判定する。判定閾値が入力されていた場合、画像形成装置１は、トレイ用紙情報およびジョブ用紙情報に含まれる用紙の属性を示す数値が完全に一致しない場合でも、数値の差分が判定閾値以下である場合には、用紙の属性が一致したと判定する。さらに、画像形成装置１は、図１０のジョブ表示処理において、第１実施形態に係るトレイ用紙情報（用紙のサイズ、種類、坪量等）の代わりに、第２実施形態に係るトレイ用紙情報（用紙のサイズ、厚さ、表面平滑度、光沢度等）について表示する。
【０１２２】
図１４は、絞込結果テーブルの他の例を示す図である。図１５は、ジョブ絞込結果を表示する操作画面の他の例を示す図である。
【０１２３】
画像形成装置１は、図７のステップＳ２１０において、トレイ用紙情報と少なくとも一部が一致するジョブ用紙情報が関連付けられている印刷ジョブの名称を、図１４に例示するような絞込結果テーブルＴ２に記憶させる。絞込結果テーブルＴ２には、トレイ用紙情報に含まれる用紙の属性を示す数値と、ジョブ用紙情報に含まれる用紙の属性を示す数値との差分が判定閾値以下であるか否かの判定結果に加えて、差分値（図１４における括弧書き内の数値）が記憶されてもよい。
【０１２４】
そして、画像形成装置１は、図１０のステップＳ３０３において、図１５に例示するようなジョブ絞込結果を表示する操作画面を、操作表示部４０等に表示させる。図１５の操作画面では、ステップＳ１０３において取得されたトレイ用紙情報と、絞り込まれた印刷ジョブの情報とが表示されており、トレイ用紙情報と一致度が高いジョブ用紙情報が関連付けて記憶されている印刷ジョブが優先的に表示されている。画像形成装置１は、差分が判定閾値以下であるか否かに加えて、差分値（括弧書き内の数値）も表示できるため、差分を考慮した上で再出力する印刷ジョブを選択するユーザーの操作性を大きく改善できる。
【０１２５】
なお、図１５の操作画面では、判定結果および差分値が同時に表示されているが、本実施形態はこれに限定されない。画像形成装置１は、判定結果のみを表示してもよいし、差分値のみを表示してもよい。また、判定結果の表示と差分値の表示とが、任意のソフトキー等によって切り替え可能であってもよい。
【０１２６】
以上のように、第２実施形態に係る画像形成装置１は、センサー部５３によって検出されるトレイ用紙情報を取得する。これにより、画像形成装置１は、ユーザーによるトレイ用紙情報の入力を必要とせずにトレイ用紙情報を取得でき、ユーザーの利便性をさらに向上できる。
【０１２７】
また、第２実施形態に係る画像形成装置１は、トレイ用紙情報に含まれる判定すべき用紙の属性を示す数値と、ジョブ用紙情報に含まれる判定すべき用紙の属性を示す数値との差分が判定閾値以下であるか否かに基づいて、ジョブリストから印刷ジョブを絞り込む。これにより、画像形成装置１は、トレイ用紙情報およびジョブ用紙情報に含まれる用紙の属性が完全に一致しない場合でも、差分が判定閾値以下である場合には、用紙の属性が一致したと判定でき、より柔軟に絞込処理を実行できる。
【０１２８】
なお、第１実施形態および第２実施形態に係る構成および処理は、組み合わせて用いられてもよい。すなわち、画像形成装置１は、ユーザーによって入力されるトレイ用紙情報と、センサー部５３によって検出されるトレイ用紙情報との両方を取得してもよく、両方のトレイ用紙情報に基づいて、ジョブリストから印刷ジョブを絞り込んでもよい。すなわち、画像形成装置１は、ジョブ絞込条件を設定する操作画面において、自動的に検出される用紙のサイズ、ユーザーによって入力される用紙の種類および坪量、センサー部５３によって検出される用紙の表面平滑度、光沢度および厚さのそれぞれについて、ユーザーによる「判定有無」の選択および／または「判定閾値」を入力を受け付けてもよい。これにより、画像形成装置１は、ユーザーのより細かい要望に基づいて、ジョブリストから印刷ジョブを絞り込むことができる。
【０１２９】
また、第２実施形態に係る画像形成装置１は、センサー部５３によって検出される用紙の表面平滑度、光沢度、厚さ等ではなく、ユーザーによって入力される用紙の表面平滑度、光沢度、厚さ等を、トレイ用紙情報として取得してもよい。これにより、画像形成装置１は、ユーザーによって任意のセンサーを使用して測定された用紙の表面平滑度、光沢度、厚さ等を、トレイ用紙情報として取得できる。
【０１３０】
（第３実施形態）
上記実施形態では、ジョブリストに含まれる一つの印刷ジョブに対して、一つのジョブ用紙情報が関連付けられている場合の処理について説明した。第３実施形態では、ジョブリストに含まれる一つの印刷ジョブに対して、複数のジョブ用紙情報が関連付けられている場合の処理について説明する。
【０１３１】
図１６は、印刷ジョブと複数のジョブ用紙情報との関係を説明するための図である。
【０１３２】
図１６に示すように、各ジョブ用紙情報は、過去に出力された各印刷ジョブに関連付けて記憶される。ジョブ２に対しては、３つの異なるジョブ用紙情報が関連付けられており、ジョブ３に対しては、２つの異なるジョブ用紙情報が関連付けられている。一つの印刷ジョブが、少なくとも一つの用紙の属性が異なる複数の種類の用紙で出力された場合、一つの印刷ジョブに対して、複数のジョブ用紙情報が関連付けられることになる。
【０１３３】
図１７は、第３実施形態に係る画像形成装置１の処理の手順を示すフローチャートである。図１７のステップＳ１０１〜Ｓ１０９の処理は、図６のステップＳ１０１〜Ｓ１０９の処理と同様であるため、説明を省略する。なお、一つの印刷ジョブに対して複数のジョブ用紙情報が関連付けられている場合、画像形成装置１は、いずれかのジョブ用紙情報についてステップＳ１０５のジョブ絞込処理を実行してもよい。
【０１３４】
画像形成装置１は、ステップＳ１０５のジョブ絞込処理の後、ステップＳ１０６のジョブ表示処理の前に、ステップＳ４０１の処理を実行する。すなわち、画像形成装置１の制御部１０は、絞込部１６として、ステップＳ１０５においてジョブリストから絞り込まれた印刷ジョブの中に、複数の異なるジョブ用紙情報が関連付けられている印刷ジョブがあるか否かを判断する（ステップＳ４０１）。
【０１３５】
複数の異なるジョブ用紙情報が関連付けられている印刷ジョブがない場合（ステップＳ４０１：ＮＯ）、画像形成装置１は、ステップＳ１０６の処理に進み、第１実施形態または第２実施形態と同様の処理を実行する。
【０１３６】
複数の異なるジョブ用紙情報が関連付けられている印刷ジョブがある場合（ステップＳ４０１：ＹＥＳ）、画像形成装置１は、ステップＳ４０２の処理に進む。そして、画像形成装置１は、トレイ情報記憶部として機能する記憶部２０に記憶された、全ての給紙トレイ５１にセットされた用紙の情報（全てのトレイ用紙情報）を取得する（ステップＳ４０２）。上述したように、給紙トレイ５１に用紙がセットされる度に、トレイ情報取得部１４によって取得されたトレイ用紙情報は、各給紙トレイ５１と関連付けられ、トレイ情報記憶部として機能する記憶部２０に記憶されている。
【０１３７】
続いて、画像形成装置１は、ステップＳ１０５のジョブ絞込処理に再度進む。そして、画像形成装置１は、印刷ジョブに関連付けられている複数の異なるジョブ用紙情報のうち、前回判定されなかったジョブ用紙情報と、全てのトレイ用紙情報との組み合わせのそれぞれについて、ステップＳ２０１〜ステップＳ２１０の処理を実行する。すなわち、画像形成装置１は、いずれかのトレイ用紙情報とおよび前回判定されなかったジョブ用紙情報との少なくとも一部が一致するか否かを判定する。あるいは、画像形成装置１は、いずれかのトレイ用紙情報に含まれる用紙の属性を示す数値と、前回判定されなかったジョブ用紙情報に含まれる用紙の属性が示す数値との差分が、所定の判定閾値以下であるか否かを判定する。なお、前回判定されなかったジョブ用紙情報と少なくとも一部が一致するトレイ用紙情報が複数ある場合、画像形成装置１は、最も一致度が高いトレイ用紙情報を、ジョブ用紙情報と一致するトレイ用紙情報として判定してもよい。その後、画像形成装置１は、判定結果を絞込結果テーブルに追加し、ステップＳ１０６の処理に進む。
【０１３８】
図１８は、ジョブ絞込結果を表示する操作画面のさらに別の例を示す図である。
【０１３９】
画像形成装置１は、図１８に例示するようなジョブ絞込結果を表示する操作画面を、操作表示部４０等に表示させる。図１８の操作画面では「構成」の欄が設けられ、「複数」は、印刷ジョブに複数の異なるジョブ用紙情報が関連付けられていること、「単一」は、印刷ジョブに一つのジョブ用紙情報のみが関連付けられていることを示す。ここでは、ジョブ９に、３つの異なるジョブ用紙情報が関連付けられているものとする。
【０１４０】
画像形成装置１は、図１８の操作画面において「複数」の欄が選択された場合、たとえばＣのような新たなウインドウを表示させる。画像形成装置１は、新たなウインドウにおいて、たとえば、３つの異なるジョブ用紙情報と最も一致度が高いトレイ用紙情報との判定結果を表示したり、当該トレイ用紙情報自体を表示したりする。なお、表示内容はこれに限定されない。また、ジョブ用紙情報と少なくとも一部が一致するトレイ用紙情報が存在しない場合、画像形成装置１はユーザーに通知してもよい。そして、画像形成装置１は、トレイ用紙情報と一致しないジョブ用紙情報が関連付けられた印刷ジョブを出力させるための用紙を収容する給紙トレイ５１を、ユーザーに選択させてもよい。
【０１４１】
以上のように、第３実施形態に係る画像形成装置１は、ジョブリストから絞り込まれた印刷ジョブの中に、複数の異なるジョブ用紙情報が関連付けられている印刷ジョブがある場合、全てのジョブ用紙情報をトレイ用紙情報と比較する。これにより、画像形成装置１は、一つの印刷ジョブに対して複数のジョブ用紙情報が関連付けられている場合でも、全てのジョブ用紙情報に関する情報を表示でき、印刷ジョブを再出力しようとするユーザーの利便性をさらに向上できる。
【０１４２】
また、上述した実施形態に係る画像形成装置１における処理は、上記のフローチャートのステップ以外のステップを含んでもよく、あるいは、上記のステップのうちの一部を含まなくてもよい。また、ステップの順序は、上記の実施形態に限定されない。さらに、各ステップは、他のステップと組み合わされて一つのステップとして実行されてもよく、他のステップに含まれて実行されてもよく、複数のステップに分割されて実行されてもよい。
【０１４３】
また、上述した実施形態に係る画像形成装置１における各種処理を行う手段および方法は、専用のハードウエア回路、またはプログラムされたコンピューターのいずれによっても実現することが可能である。上記プログラムは、たとえば、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、画像形成装置１の一機能としてその装置のソフトウエアに組み込まれてもよい。
【符号の説明】
【０１４４】
１    画像形成装置、
１０  制御部、
１１  表示制御部、
１２  操作受付部、
１３  記憶制御部、
１４  トレイ情報取得部、
１５  ジョブ情報取得部、
１６  絞込部、
１７  出力制御部、
２０  記憶部、
３０  通信部、
４０  操作表示部、
５０  給紙部、
５１  給紙トレイ、
５２  給紙ローラー、
５３  センサー部、
６０  搬送部、
７０  画像形成部、
８０  定着部。
【図１】
2019098726.tif 000003
【図２】
2019098726.tif 000004
【図３】
2019098726.tif 000005
【図４】
2019098726.tif 000006
【図５】
2019098726.tif 000007
【図６】
2019098726.tif 000008
【図７】
2019098726.tif 000009
【図８】
2019098726.tif 000010
【図９】
2019098726.tif 000011
【図１０】
2019098726.tif 000012
【図１１】
2019098726.tif 000013
【図１２】
2019098726.tif 000014
【図１３】
2019098726.tif 000015
【図１４】
2019098726.tif 000016
【図１５】
2019098726.tif 000017
【図１６】
2019098726.tif 000018
【図１７】
2019098726.tif 000019
【図１８】
2019098726.tif 000020